(57)【要約】【課題】猫の爪研ぎ行為に対応する商品は殆ど見当たらなかった。唯一商品化されていたものは、床の上に置いて爪研ぎ行為ができる爪研ぎ板であった。本発明は、従来技術のかかる課題の解消を図るために開発したもので、猫が立ち上がって柱、壁コーナー、壁などで爪研ぎ行為をするのに対応できる猫シルエット形状爪研ぎ行為対応板を提供しようとするものである。【解決手段】【請求項１】硬質板素材を以て略猫形状の爪研ぎ防止板を成型し、更に前記爪研ぎ防止板の裏面中央に上下に貫く状態に折曲溝を刻設し、かつ前記爪研ぎ防止板の裏側全面に貼着剤を塗布した貼着層を設けると共に、前記貼着層に剥離紙を添着したことを特徴とする爪研ぎ防止板タイプの猫シルエット形状爪研ぎ行為対応板。【請求項２】ダンボールなどの厚紙素材を以て、略猫形状の爪研ぎ台板を成型し、更に前記爪研ぎ台板の表面に目の粗い厚手布地で爪研ぎ布地を被着したものである請求項１記載の爪研ぎ布板タイプの猫シルエット形状爪研ぎ行為対応板。【選択図】  図１
2004154105.tif 000002
【特許請求の範囲】
【請求項１】
硬質板素材を以て略猫形状の爪研ぎ防止板（１）を成型し、更に前記爪研ぎ防止板（１）の裏面中央に、上下に貫く状態に折曲溝（２）を刻設し、かつ前記爪研ぎ防止板（１）の裏側全面に、貼着剤を塗布した貼着層（３）を設けると共に、前記貼着層（３）に剥離紙（４）を添着したことを特徴とする爪研ぎ防止板タイプの猫シルエット形状爪研ぎ行為対応板。
【請求項２】
ダンボールなどの厚紙素材を以て、略猫形状の爪研ぎ台板（５）を成型し、更に前記爪研ぎ台板（５）の表面に、目の粗い厚手布地で爪研ぎ布地（６）を被着したものである請求項１記載の爪研ぎ布板タイプの猫シルエット形状爪研ぎ行為対応板。
【発明の詳細な説明】
【０００１】
【発明の属する技術分野】
本発明は、猫の爪研ぎ行為に対応するもので、爪研ぎ行為をされたくない箇所には、爪研ぎ防止板タイプのものを、爪研ぎ行為をさせてもよい箇所には、爪研ぎ布板タイプのものを用いる猫シルエット形状爪研ぎ行為対応板に関する。
【０００２】
【従来の技術】
昔から猫はねずみを捕って餌としていた。言葉を代えると猫はねずみ捕りのハンターだったのである。狙ったねずみを捕り逃がさないようにするには、日頃から爪をたてる訓練をする必要がある。それが猫の爪研ぎ行為である。この爪研ぎ行為は、近年やらなくなった猫も出現するようになってきたが、これは猫が永い生活習慣の中で本能的に体得したものであり、基本的には忘却してしまうものではない。猫を家で飼う場合、この爪研ぎ行為が猫愛好家の頭を悩ますのである。なぜなら柱や壁コーナー、壁、床など、家の中ならところ構わずに好みの場所で爪研ぎ行為をおこなうのである。それも毎日頻繁におこなわれるのである。従って爪研ぎ行為がおこなわれた柱、壁コーナー、壁、床などは、爪による引っ掻き傷でボロボロになる。ボロボロの状況が進行すると見た目が悪くなるので修理することになるが、この修理もまたその費用も大変な負担になるものであった。
【０００３】
【発明が解決しようとする課題】
従来の技術で述べたように、猫の爪研ぎ行為は猫愛好家にとって頭を悩ませる問題であった。こうした猫の習性を矯正しようとしても、猫にストレスの負担がかかって予想もしなった結果を招来することも少なくなかった。しかるにこうした猫の爪研ぎ行為に対応する商品は殆ど見当たらなかった。唯一商品化されていたものは、床の上に置いて爪研ぎ行為ができる爪研ぎ板であった。本発明は、従来技術のかかる課題の解消を図るために開発したもので、猫が立ち上がって柱、壁コーナー、壁などで爪研ぎ行為をするのに対応できる、猫シルエット形状爪研ぎ行為対応板を提供しようとするものである。
【０００４】
【課題を解決するための手段】
上記目的を達成するために、本発明における猫シルエット形状爪研ぎ行為対応板は、次のような構成としている。
【請求項１】プラスチックなどの硬質板素材を以て略猫形状の爪研ぎ防止板１を成型し、更に前記爪研ぎ防止板１の裏面中央に上下に貫く状態に９０°に折り曲げることのできる折曲溝２を刻設し、かつ前記爪研ぎ防止板１の裏側全面に貼着剤を塗布した貼着層３を設けると共に、前記貼着層３に剥離紙４を添着したことを特徴とする爪研ぎ防止板タイプの猫シルエット形状爪研ぎ行為対応板。
【０００５】
【請求項２】ダンボールなどの厚紙素材を以て、略猫形状の爪研ぎ台板５を成型し、更に前記爪研ぎ台板５の表面に猫が爪研ぎをしやすい目の粗い厚手布地で爪研ぎ布地６を被着したものである請求項１記載の爪研ぎ布板タイプの猫シルエット形状爪研ぎ行為対応板。
【０００６】
【発明の実施の形態】
本発明は、猫が爪研ぎ行為をしたら傷が付いて困るところに、爪研ぎ防止板タイプの猫シルエット形状爪研ぎ行為対応板を、猫が爪研ぎ行為をしてもよい壁や、壁コーナー、柱などの場所に、爪研ぎ布板タイプの猫シルエット形状爪研ぎ行為対応板を貼着して用いるものである。爪研ぎ防止板タイプの猫シルエット形状爪研ぎ行為対応板は、硬質素材を用いて、略猫形状の爪研ぎ防止板１を成型し、爪研ぎ防止板１の裏面中央に上下に貫く状態に９０°に折り曲げることのできる折曲溝２を刻設してある。更には爪研ぎ防止板１の裏側全面に貼着剤を塗布した貼着層３を設けると共に、前記貼着層３に剥離紙４を添着してある。一方の爪研ぎ布板タイプの猫シルエット形状爪研ぎ行為対応板は、厚紙素材を以て、略猫形状の爪研ぎ台板５を成型したものである。更に爪研ぎ台板５の表面に猫が爪研ぎをしやすいように目の粗い厚手布地で爪研ぎ布地６を被着したものである。
【０００７】
【実施例】
本発明の実施例について図面を参照に説明する。
図１、図２は、請求項１記載に関する実施例で、図１は、爪研ぎ防止板タイプの猫シルエット形状爪研ぎ行為対応板の正面図、図２は、Ａ−Ａ線断面図である。
本実施例では、プラスチックの硬質素材を用いて、略猫形状の爪研ぎ防止板１を成型している。更には前記爪研ぎ防止板１の裏面中央に上下に貫く状態に９０°に折り曲げることのできる折曲溝２を刻設してある。また前記爪研ぎ防止板１の裏側全面に貼着剤を塗布した貼着層３を設けると共に、前記貼着層３に剥離紙４を添着してある。本実施例は、このように猫に爪研ぎ行為をしてもらいたくない場所に用いるものになっている。本発明を用いて実施するには、まず剥離紙４を取り除き、壁に用いるにはそのまま押し付けるだけで、爪研ぎ防止板１の裏側全面に貼着剤を塗布した貼着層３により、容易に壁に貼着する。また柱や壁コーナーに用いるには、やはり剥離紙４を取り除き、爪研ぎ防止板１の裏面中央にある折曲溝２に沿って折り曲げると、９０°に折り曲げられそのまま押し付けるだけで柱や壁コーナーに貼着する。このように猫が爪研ぎ行為をしたら傷が付いて困るところに、本爪研ぎ防止板タイプの猫シルエット形状爪研ぎ行為対応板を用いることで、傷めたくない柱や壁コーナーや壁を保護することができる。
【０００８】
図３、図４は、請求項２記載に関する実施例で、図３は、爪研ぎ布板タイプの猫シルエット形状爪研ぎ行為対応板の正面図、図４は、Ｂ−Ｂ線断面図である。本実施例では、ダンボールなどの厚紙素材を以て、略猫形状の爪研ぎ台板５を成型してある。更に前記爪研ぎ台板５の表面に猫の爪研ぎ行為がしやすいように目の粗い厚手布地で爪研ぎ布地６を被着したものである。更には請求項１記載の実施例と同様に、前記爪研ぎ台板５の裏面中央に上下に貫く状態に９０°に折り曲げることのできる折曲溝２を刻設してある。また前記爪研ぎ台板５の裏側全面に、貼着剤を塗布した貼着層３を設けると共に、前記貼着層３に剥離紙４を添着してある。本実施例は、このように猫が爪研ぎ行為をしてもよい場所に用いるものになっている。本発明を用いて実施するには、請求項１記載の実施例と同様に、まず剥離紙４を取り除き、壁に用いるにはそのまま押し付けるだけで壁に貼着する。また柱や壁コーナーに用いるには、やはり剥離紙４を取り除き、爪研ぎ防止板１の裏面中央に設けた折曲溝２を折り曲げることで、本爪研ぎ布板は９０°に折り曲るので、これをそのまま使用場所に押し付けるだけで柱や壁コーナーに貼着できる。このように猫が爪研ぎ行為をしてもよい壁、壁コーナー、柱などの場所に、本爪研ぎ布板タイプの猫シルエット形状爪研ぎ行為対応板を用いることで、猫の爪研ぎ行為をさせることができる。
【０００９】
本発明は以上のように、猫を家で飼う際に起きる猫の爪研ぎ行為に対応するものであり、柱や壁など傷めたくない箇所には爪研ぎ防止板タイプの猫シルエット形状爪研ぎ行為対応板を、爪研ぎ行為をやってもよい箇所には爪研ぎ布板タイプの猫シルエット形状爪研ぎ行為対応板を用いればよい。本発明を用いることで、猫はストレスを生じることはなく、飼い主は矯正的な躾に時間を取られることもなく、また用いても見た目に違和感を感じさせない。本爪研ぎ防止板タイプと、爪研ぎ布板タイプの猫シルエット形状爪研ぎ行為対応板を、組み合わせて商品化すると、猫愛好家の必需品になること必定である。
【００１０】
【発明の効果】
本発明は上記のとおり構成されているので、次に記載する効果を奏する。
１．柱や壁コーナーや壁など大切な箇所を、違和感を感じさせることなく保護することができる。
２．猫の好みの箇所で思う存分に爪研ぎ行為を達成でき、猫のストレスを解消させることができる。
３．柱や壁コーナーや壁などに貼着した爪研ぎ防止板や爪研ぎ布板を、来客などの第三者が家を訪れて観ても、猫シルエット形状であることから、猫爪研ぎ行為への対応であることがすぐに理解でき、違和感を感じさせない。
４．本発明を実施するには、剥離紙を取り除いて壁に押し付けるだけであり、また柱や壁コーナーに実施するには、折曲溝で折り曲げ押し付けるだけで簡単に貼着使用でき便利である。
５．本発明は、猫愛好家に喜ばれる重宝品となる可能性が大である。
【００１１】
【図面の簡単な説明】
【図１】爪研ぎ防止板タイプの猫シルエット形状爪研ぎ行為対応板の正面図である。
【図２】Ａ−Ａ線断面図である。
【図３】爪研ぎ布板タイプの猫シルエット形状爪研ぎ行為対応板の正面図である。
【図４】Ｂ−Ｂ線断面図である。
【符号の説明】
（１）    は  爪研ぎ防止板
（２）    は  折曲溝
（３）    は  貼着層
（４）    は  剥離紙
（５）    は  爪研ぎ台板
（６）    は  爪研ぎ布地
【図１】
2004154105.tif 000003
【図２】
2004154105.tif 000004
【図３】
2004154105.tif 000005
【図４】
2004154105.tif 000006